(57)【要約】      （修正有）【課題】複数に分割されたプラテンカバーを、好適に連結するインクジェットプリンターを提供する。【解決手段】第１カバー１６と第２カバー１７からなるプラテンカバーを、連結させてプラテン３上に固定する。連結部材１８、１９は、記録媒体の搬送方向の上流側と下流側に配置する。記録ヘッドによる記録エリアでは、記録媒体の搬送方向に対して斜めに接続し、その端部を連結部材で固定する。分割したプラテンカバーを主走査方向にがたつかせずに固定できる。【選択図】図３
2017165021.tif 000002
【特許請求の範囲】
【請求項１】
記録媒体を搬送する搬送装置と、
前記記録媒体にインクを吐出する複数のノズルを備える記録ヘッドと、
前記記録ヘッドを搭載し、前記記録媒体の搬送方向に対して交差する方向に移動するキャリッジと、
前記記録媒体を吸引する複数の吸引孔を備え、前記記録媒体を支持する平板状のプラテンと、
複数の連通孔を備え、前記プラテンに着脱可能に載置するプラテンカバーと、を有し、
前記プラテンカバー上に搬送された前記記録媒体に前記記録ヘッドから前記インクを吐出して画像を記録するインクジェットプリンターにおいて、
前記プラテンカバーは複数に分割されており、
前記複数の前記プラテンカバー同士を前記キャリッジの移動方向に連結する連結部材を有し、
前記連結部材は、前記プラテンカバーの前記記録ヘッドによる画像の記録領域を挟み、前記搬送方向の上流側と下流側に配置され、隣接する前記プラテンカバー同士を固定すると共に前記プラテンカバーを前記プラテンに固定することを特徴とするインクジェットプリンター。
【請求項２】
前記プラテンには、前記プラテンの前記記録ヘッドによる画像の記録領域に対して、前記搬送方向の上流側と下流側であって前記キャリッジの移動方向に平行に配置され、前記連結部材を係止する溝が設けられており、
前記連結部材は、前記溝に係合し、前記溝の中を前記移動方向にスライドする台部と、前記台部に固定され、前記プラテンカバーと接続する固定部とを有し、
前記固定部によって、隣接する前記プラテンカバー同士を連結すると共に、前記プラテンカバーを前記プラテンに固定することを特徴とする請求項１に記載のインクジェットプリンター。
【請求項３】
前記台部は前記移動方向にお互いに離れる方向に付勢された２つの可動部を有し、前記固定部を前記可動部同士の前記付勢に対して抗して接続することで、前記可動部同士を前前記固定部によって挟み、前記台部に前記固定部が固定されることを特徴とする請求項２に記載のインクジェットプリンター。
【請求項４】
前記プラテンカバーの前記端部に連結孔が設けられ、
前記固定部の端部に少なくとも２つの凸部が設けられ、
前記固定部の一方の凸部を隣接する前記プラテンカバーの一方の前記プラテンカバーの前記連結孔に嵌合させ、他方の凸部を他方の前記プラテンカバーの前記連結孔に嵌合させ、該隣接する前記プラテンカバー同士を連結することを特徴とする請求項２または請求項３に記載のインクジェットプリンター。
【請求項５】
前記上流側の前記連結部材の配置されている位置と、前記下流側の前記連結部材の配置されている位置は、前記キャリッジの移動方向における位置が重ならないように配置されていることを特徴とする請求項１から請求項４の何れか１項に記載のインクジェットプリンター。
【発明の詳細な説明】
【技術分野】
【０００１】
本発明は、インクジェットプリンターに関する。
【背景技術】
【０００２】
記録紙、樹脂フィルムなどの記録媒体にインクを吐出して画像を記録するインクジェットプリンターが広く普及している。インクジェットプリンターは、家庭用やオフィス用として書類作成のために用いられる小型のもの、１ｍを超える幅広の記録媒体に記録するための大型のものなど、様々な幅の記録媒体に対応したものがある。また、記録物を屋外で使用する目的で、風雨や日光の影響により色が褪せたり、落ちたりすることを防ぐために、顔料を溶媒に分散させた顔料インクを利用するものなど、用途に応じてインクも様々なものがある。
【０００３】
またインクジェットプリンターは、平板状のプラテンに記録媒体を保持し、そのプラテンに沿ってキャリッジを移動し、ノズルからインク滴を記録媒体に吐出し、画像を記録している。記録媒体に凹凸が生じると、着弾したインク滴の位置がずれたり、インクが流れたりすることで画像品質が悪くなる。
【０００４】
インクジェットプリンターには高精細、高画質化の要望があり、記録媒体をプラテン上に平坦に置かれることが望まれる。そこで、プラテンに吸引孔が設けられ、その吸引孔によって記録媒体をプラテンに吸い付けて、記録媒体をプラテンに平坦に固定する機構が用いられている。
【０００５】
また、記録媒体は、吸引孔によって吸引されながら、搬送装置によってプラテン上を摺動し、搬送される。このようなインクジェットプリンターの記録動作は、記録媒体を予め決められた所定の移動距離だけ搬送して停止させ、キャリッジを記録媒体の幅方向に走査させつつノズルから記録媒体上にインクを吐出して記録する。１回の走査が終わると再び記録媒体を所定距離だけ搬送して停止させ、上述と同様にインクを吐出して記録を行う。このような動作を繰り返すことで所望の画像を記録媒体上に形成する。
【０００６】
記録媒体はプラテン上を摺動させる必要がある。しかし、プラテンと記録媒体との摩擦抵抗によって、または吸引孔による記録媒体への吸引力によって、記録媒体がプラテン上を平滑に移動せずに、波打状態など乱れた状態で搬送されることがある。このような問題に対して、例えば引用文献１には、プラテンの表面に摩擦抵抗を低減したプラテンカバーで覆う技術が開示されている。プラテンカバーは、記録媒体の種類に対応するものを使用するため、交換可能に取り付けることができる。
【先行技術文献】
【特許文献】
【０００７】
【特許文献１】特開２０１０‐２６０３４１号公報
【発明の概要】
【発明が解決しようとする課題】
【０００８】
従来の技術では、プラテンカバー同士を固定する装置が無かった。そのため、複数に分かれたプラテンカバーを用いた場合に、プラテンカバー同士の間に隙間が生じる場合があった。この隙間があることで、記録媒体の表面温度が均一にならずに、インクの乾燥性に差が生じ、画像に模様となって現れる問題が生じる。
【課題を解決するための手段】
【０００９】
そこで、本願発明は、複数に分割されたプラテンカバーを、好適に連結するインクジェットプリンターを提供する。
【００１０】
上述の課題を解決する本発明のインクジェットプリンターは、記録媒体を搬送する搬送装置と、前記記録媒体にインクを吐出する複数のノズルを備える記録ヘッドと、前記記録ヘッドを搭載し、前記記録媒体の搬送方向に対して交差する方向に移動するキャリッジと、前記記録媒体を吸引する複数の吸引孔を備え、前記記録媒体を支持する平板状のプラテンと、複数の連通孔を備え、前記プラテンに着脱可能に載置するプラテンカバーと、を有し、前記プラテンカバー上に搬送された前記記録媒体に前記記録ヘッドから前記インクを吐出して画像を記録するインクジェットプリンターにおいて、前記プラテンカバーは複数に分割されており、前記複数の前記プラテンカバー同士を前記キャリッジの移動方向に連結する連結部材を有し、前記連結部材は、前記プラテンカバーの前記記録ヘッドによる画像の記録領域を挟み、前記搬送方向の上流側と下流側に配置され、隣接する前記プラテンカバー同士を固定すると共に前記プラテンカバーを前記プラテンに固定することを特徴とする。
【発明の効果】
【００１１】
本発明によれば、複数に分割されたプラテンカバー同士を連結し、プラテンに固定することで接続部分に生じる隙間による画質の悪化を低減ないしは防止することができる。記録媒体に画像を好適に記録することのできるインクジェットプリンターを提供することができる。
【図面の簡単な説明】
【００１２】
【図１】図１は、インクジェットプリンターの全体を説明する概略図である。
【図２】図２は、プラテンカバーの全体と接続部分を説明する斜視図である。
【図３】図３は、プラテンカバーの連結部材を説明する斜視図である。
【図４】図４は、連結部材の固定構造を説明する断面図である。
【図５】図５は、プラテンカバーの固定方法を説明する図である。
【図６】図６は、プラテンにプラテンカバーを固定した状態の断面図である。
【図７】図７は、連結部材の構造を説明する図である。
【発明を実施するための形態】
【００１３】
図面を用いて、本発明の実施形態を説明する。
【００１４】
図１は、インクジェットプリンターの全体を示す概略図である。この図を用いて、まずは、インクジェットプリンターについて説明する。インクジェットプリンター１は、インクジェット式の記録ヘッドをキャリッジ７に搭載し、記録媒体２に対して記録ヘッドからインクを吐出することで、画像を記録する。キャリッジ７の移動方向を主走査方向とも呼ぶ。キャリッジ７の主走査方向の往路と復路とで記録媒体２にインクを吐出し、画像を記録する。記録媒体２は、キャリッジ７の移動方向に対して、例えば直行する方向など、交差する方向に搬送される。この記録媒体２の搬送方向を副走査方向とも呼ぶ。記録ヘッドには、副走査方向に沿って、列状に配置された複数のノズルが備わる。そのノズルからインクが吐出される。キャリッジ７を移動させながらインクを吐出することと、記録媒体２の搬送とを交互に行い所望の画像を記録する。記録媒体２は、紙、プラスチックフィルムなどである。
【００１５】
キャリッジ７に搭載されている記録ヘッドは、カラー記録を行うために、例えば、シアン、マゼンタ、イエロー、ブラックのインクと、シアン、マゼンタ、ブラックの顔料濃度を半分にした、ライトシアン、ライトマゼンタ、グレーのインクとに対応した７台の記録ヘッドが搭載されている。
【００１６】
インクジェットプリンター１の長手方向に沿ってレール９が配置されている。キャリッジ７は、そのレール９に沿って移動する。また。このレール９に沿ってプラテン３が配置されている。プラテン３には、吸引孔が多数備わり、その下部には、吸引室が備わる。吸引ファンによって吸引室の空気が吸われ、プラテン３上に搬送された記録媒体２を吸引孔で吸着する。プラテン３上の記録媒体２は、プラテン３の表面に沿って平坦に支持される。平坦に支持された記録媒体２に対して、ノズル面を対向させた状態で移動させながらインクを吐出する。これにより、各ノズルから記録媒体２までの距離を均一にして記録することができ、好適な画像を得ることができる。
【００１７】
レール９に沿って、無端ベルト８が設けられている。無端ベルト８の両端にはプーリーが配置され、片方のプーリーに無端ベルト８を駆動するためのモーターが接続されている。無端ベルト８には、キャリッジ７が固定されている。キャリッジ７はレール９にベアリングによって移動自在に接続されている。無端ベルト８の移動に伴い、キャリッジ７がレール９に沿って移動する。
【００１８】
キャリッジ７の位置は、キャリッジ７の移動方向に沿って設けられたリニアスケール１２を、キャリッジ７に搭載したセンサーによって読取ることで、取得し、利用することができる。例えば、一般にリニアエンコーダーと呼ばれる装置を用いている。リニアエンコーダーで測定されたキャリッジ７の位置に基づき、プラテン３に支持された記録媒体２の所望の位置に、インクを吐出することができる。
【００１９】
記録媒体２は、搬送ローラー５とピンチローラー６に挟まれ、搬送ローラー５の回動に連動して搬送される。ピンチローラー６は、搬送ローラー５の方向に押圧され、搬送ローラー５の回動に連動して連れ回る。
【００２０】
ペーパーガイド４は、裏面にヒーターが備わり、ヒーターの熱で温度を高く保っている。ペーパーガイド４は、記録後の記録媒体２を案内すると共に、加熱し、インクの乾燥と定着を促進する。
【００２１】
プラテン３の主走査方向の一方側の外側には、ワイピングユニット１０が備わる。ワイピングユニット１０は、記録ヘッドのノズル面をワイプし、清掃するワイパーが備わる。ワイピングユニット１０の詳細は後述する。また、他方側の外側には、キャッピングユニット１１が備わる。キャッピングユニット１１は、ノズルが乾燥しないように、ノズル面を覆い、密閉するキャップが備わる。
【００２２】
ワイピングユニット１０、キャッピングユニット１１などにより記録ヘッドをメンテナンスすることで、記録ヘッドをインク吐出が正常に行えるような好適な状態に保つことができる。廃液ボトル１３は、ワイピングユニット１０から排出される洗浄液を格納する。
【００２３】
次にプラテンカバーの連結方法について図２〜図４を用いて説明する。図２は、プラテンカバーの全体と接続部分を説明する斜視図である。図３は、プラテンカバーの連結部材を説明する斜視図である。図４は、連結部材の固定構造を説明する断面図である。
第１カバー１６と第２カバー１７は、プラテン３上に載置するプラテンカバーである。２分割することで、取扱いを容易にすることができる。プラテンカバーが折れて凹凸ができないように、取扱いを容易にするために２分割している。さらに複数に分割しても良い。点線で示したエリア１４を拡大したものが点線で示した拡大図１５である。
【００２４】
接続部２０は、第１カバー１６と第２カバー１７の境界を示している。記録媒体の搬送方向の上流側は、第１連結部材を構成する第１固定部１８によって、第１カバー１６と第２カバー１７が連結している。第１カバー１６側は、第１固定部１８の第３凸部２５が第１カバー１６に嵌合している。第２カバー１７側は、第１固定部１８の第４凸部２６が第２カバー１７に嵌合している。記録媒体の搬送方向の下流側は、第２連結部材を構成する第２固定部１９によって、第１カバー１６と第２カバー１７が連結している。第１カバー１６側は、第２固定部１９の第１凸部２３が第１カバー１６に嵌合している。第２カバー１７側は、第２固定部１９の第２凸部２４が第２カバー１７に嵌合している。プラテン３には、キャリッジ７の移動方向に沿って溝が２本設けられている。記録媒体の搬送方向の上流側に配置されている第１溝２１は、第１連結部材をスライド可能に係止するための溝である。記録媒体の搬送方向の下流側に配置されている第２溝２２は、第２連結部材をスライド可能に係止するための溝である。
【００２５】
第１固定部１８と第２固定部１９によって、第１カバー１６と第２カバー１７がキャリッジ７の移動方向に接離しないように固定されている。第１カバー１６と第２カバー１７の境界は、記録媒体の搬送方向に対して、斜めに構成されている。記録媒体を搬送したときに、記録媒体の同じ位置がこのつなぎ部分と常に重ならないように配置している。つなぎ部分では、微細な段差や隙間によって表面温度が低下する可能性があり、それによる画質への影響を抑えるためである。
【００２６】
例えば、搬送方向に沿って隙間がある場合、その部分だけ温度が低下する。その温度の低下部分に着弾したインクは、他の部分に比べ乾燥が遅くなり、筋状の模様となって現れる。このようなことが無いように、つなぎ部分を斜めに配置している。また、第１カバー１６と第２カバー１７を連結する連結部材も影響を与えないように、プラテン３の長手方向にずらして配置している。
【００２７】
第１連結部材は、第１固定部１８と第１台部３２を備える。第１台部３２は第１溝２１にスライド自在に挿入されている。第１溝２１は、プラテン表面側の開口部が内部より狭く、第１溝２１に挿入された第１台部３２が、開口部から外れないように構成されている。また、第２溝２２も同様に、第２台部３７が開口部から外れないように構成されている。
【００２８】
第１溝２１に嵌められた第１台部３２の両端を、第１固定部１８の長手方向の短部にある第１屈曲部３０と第２屈曲部３１で挟み込み固定することで連結している。第１屈曲部３０と第２屈曲部３１の先端に向うに従いお互いに近づく方向に曲げた部分を設け、第１台部３２に嵌めたときに容易に抜けないようにしている。また、第１台部３２の端部も第１屈曲部３０と第２屈曲部３１の形状に対応してテーパーを設けている。同様に、第２溝２２に嵌められた第２台部３７の両端を、第２固定部１９の長手方向の短部にある第１屈曲部３５と第２屈曲部３６で挟み込み固定することで連結している。
【００２９】
また、第１カバー１６には、第１連結孔３３が設けられ、そこに第１固定部１８の第３凸部２５を嵌め込むことで、第１固定部１８と第１カバー１６を固定している。第２カバー１７には、第２連結孔３４が設けられ、そこに第１固定部１８の第４凸部２６を嵌め込むことで、第１固定部１８と第２カバー１７を固定している。また、第１カバー１６には、第３連結孔３８が設けられ、そこに第２固定部１９の第１凸部２３を嵌め込むことで、第２固定部１９と第１カバー１６を固定している。第２カバー１７には、第４連結孔３９が設けられ、そこに第２固定部１９の第２凸部２４を嵌め込むことで、第２固定部１９と第２カバー１７を固定している。
【００３０】
第１連結孔３３と第２連結孔３４の間隔を、第３凸部２５と第４凸部２６の間隔と同じにすることで、接続部２０で接触させると共に、主走査方向の隙間を無くすことができる。同様に、第３連結孔３８と第４連結孔３９の間隔を、第１凸部２３と第２凸部２４の間隔と同じにする。
【００３１】
第１台部３２は、第１溝２１のプラテン３の表面側の開口から挿入できないので、プラテン３の側面側から挿入する。第２台部３７も同様に第２溝２２の側面側から挿入する。
【００３２】
また、プラテン３の裏面には、ヒーター溝４１が複数設けられ、その溝にヒーター線を嵌め込む。このヒーター線によって、プラテン３を裏面側から加熱することができる。加熱により、プラテン表面を適度な温度にし、記録媒体を加熱した状態で、記録する。インクの定着や乾燥性がよくなる。
【００３３】
プラテン３の記録媒体の搬送方向の上流側であり、第１溝２１より下流側に、第１カバー１６及び第２カバー１７の端部を屈曲させた部分を挿入する凹部４０が設けられている。この凹部４０に、第１カバー１６、第２カバー１７の端部を掛けることで、記録媒体の搬送による外れを防止できる。第１固定部１８には開口部５０が備わり、第２固定部１９には、開口部５１が備わる。開口部５０から第１台部３２を操作することができる。開口部５１から第２台部３７を操作することができる。例えば、開口部５０から第１台部３２を伸縮させる操作ができ、縮めることで第１台部３２から第１固定部１８を外すことができる。
【００３４】
プラテン３の表面側には、平坦部４４を微小に窪ませた複数の窪み部４３が備わる。窪み部４３及び平坦部４４には、複数の吸引孔４２が備わる。微小の窪みをプラテン３に形成することで、プラテンカバーとの間に微小隙間を設けることができる。吸引するときに、吸引孔４２が詰まることを防止でき、広い範囲で均等に、プラテンカバーに設けた細孔から吸引することができる。
【００３５】
また、第１カバー１６と第２カバー１７の接触部分の記録媒体の搬送方向の上流側端と下流側端の部分では、記録媒体の搬送方向に沿った方向に形状が形成されている。すなわち、第１カバー１６と第２カバー１７の記録媒体の搬送方向の中央部は、搬送方向に対して斜めに切断され、夫々の断面が接触している。また、搬送方向の上流側と下流側の端部は、搬送方向に対して沿った方向に切断され、夫々の断面が接触しないように構成されている。連結したときに、この部分に隙間が設けられるようになっている。端部を接触させずに中央部で接触させることで、記録領域での接続を確実に行えるようにしている。端部を接触させない構成にすることで、端部の寸法誤差や曲げ部分の精度が不十分な場合に、記録領域で隙間ができてしまうのを防ぐことができる。また、端部まで、斜めにしてしまうと、先端が変形しやすく、変形した場合に、プラテンカバーをプラテンに平坦に置くことが困難になってしまう。また、端部を搬送方向に沿った方向にするのが好ましいが、このような形状に限られるのではなく、変形しにくいように中央部と異なる方向に切断した形状とし、さらに端部同士が接触しないようにする。
【００３６】
第１固定部１８は、第１台部３２に固定する側から、第３凸部２５、第４凸部２６方向側の間に、プラテン３から離れる方向に曲げた部分、例えば湾曲させた部分、が設けられている。第１固定部１８を第１台部３２に固定したときに、第３凸部２５と第４凸部２６がプラテン３方向に付勢するようにしている。第１カバー１６と第２カバー１７をプラテン３方向に付勢することができる。
【００３７】
また、第１固定部１８、第２固定部１９によって、第１カバー１６と第２カバー１７の角の部分を覆うことができるので、搬送される記録媒体が掛かることを防止できる。
【００３８】
次にプラテンカバーをプラテン３に固定する方法について図５、図６を用いて説明する。図５は、プラテンカバーの固定方法を説明する図である。プラテンにプラテンカバーを固定した状態の断面図である。プラテン３の表面上に第２カバー１７を載置する例を説明する。また、第１カバー１６も同様の構成を持つが、ここでは、第２カバー１７を用いて説明する。第２カバー１７の記録媒体の搬送方向の上流側の端部である曲げ部４６を凹部４０に嵌める。曲げ部４６は、平板状の第２カバー１７の端部を曲げた部分である。第２カバー１７には、吸引孔４２より開口が狭い貫通孔４５が、吸引孔４２より数多く設けられている。
【００３９】
第１溝２１に挿入されている第１台部３２に、第１固定部１８を嵌め、第２溝２２に挿入されている第２台部３７に、第２固定部１９を嵌める。このとき第１固定部１８の第３凸部２５と第４凸部２６、第２固定部１９の第１凸部２３と第２凸部２４が、第１カバー１６、第２カバー１７の夫々の連結孔に嵌り、プラテンカバーをプラテン３に固定する。
【００４０】
記録媒体２を搬送した場合に、記録媒体２の搬送に伴い、プラテンカバーも搬送方向に力が加わる。そのため、プラテンカバーは搬送方向に移動する。しかし、凹部４０の搬送方向の下流側の側面４７に曲げ部４６が当接した位置で停止する。
【００４１】
平坦部４４を窪ませた複数の窪み部４３があるので、第２カバー１７との間に隙間ができ、貫通孔４５から吸引することができる。また、第２カバー１７の裏面も微小な凹凸があるので、平坦部４４と第２カバー１７の接触部分でも、空気の移動が可能である。プラテンカバーに設けられた貫通孔４５から吸引が可能である。また平坦部４４と第２カバー１７の接触部分での貫通孔４５の吸引力は、窪み部４３に対向する貫通孔４５よりも小さくなる。プラテンカバーに設けられた貫通孔は、開口が小さく、表面全体に数多く配置が可能である。プラテン３は、ヒーター等の配置や、平坦度を阻害する変形の防止のため、強度を上げるために厚いものとなる。そのため、細孔をたくさん設けることが困難である。このような、プラテン３に第１カバー１６、第２カバー１７のプラテンカバーで覆うことで、細孔を数多く設ける構成が可能となる。細孔を数多く設けることで、記録媒体を吸着させるときの吸引力の分布を平準化できる。
【００４２】
また、窪み部４３の配置に対応した部分の吸引力を他の部分より多少強くできる。窪み部４３の配置に対応した吸引力で記録媒体を吸着できる。そのため、記録媒体を搬送させたときに、吸引力の差によって、皺を伸ばすこともでき、好適に平坦に保つことができる。
【００４３】
プラテン３に載置するプラテンカバーを複数種類用意してもよい。交換することで、使用する記録媒体に対応したものを用いることができるようになる。
【００４４】
図７は、連結部材の構造を説明する図である。第１台部３２は、第１スライダ７０と第２スライダ７１をバネ５３によって付勢した状態で固定している。軸５２の一方側には第１スリット５６、第２スリット５７、他方側には第３スリット５８が備わる。軸５２にバネ５３を通し、軸５２の一方側を第１スライダ７０の穴に挿入し、他方側を第２スライダ７１の穴に挿入する。
【００４５】
第１スライダ７０の窓部５９の位置で第１リング６２、第２リング６３を夫々第１スリット５６、第２スリット５７に固定し軸５２の挿抜を規制する。第２スライダ７１の窓部６０の位置で第３リング６１を第３スリット５８に固定し軸５２の挿抜を規制する。窓部６０の幅の範囲で、第３リング６１が軸方向に移動可能となる。この幅の範囲で、第１スライダ７０と第２スライダ７１の間隔を変えることができる。第１固定部１８などを外すときに、開口部５０から操作して間隔を変えて、外すことがきる。
【００４６】
バネ５３と第１スライダ７０の間には第１座金５４、第２スライダ７１との間には第２座金５５を置き第１スライダ７０の穴にバネ５３が入り込むのを防止している。
【００４７】
各スライダをプラテン３の溝に入れておけば、プラテンカバーの固定をプラテン３の表面側から行うことができるので、容易に着脱、交換が可能となる。
【産業上の利用可能性】
【００４８】
本発明はインクジェットプリンターに利用できる。特に大型のインクジェットプリンターに利用できる。
【符号の説明】
【００４９】
１  インクジェットプリンター
２  記録媒体
３  プラテン
４  ペーパーガイド
５  搬送ローラー
６  ピンチローラー
７  キャリッジ
８  無端ベルト
９  レール
１６  第１カバー
１７  第２カバー
１８  第１固定部
１９  第２固定部
２０  接続部
２１  第１溝
２２  第２溝
２３  第１凸部
２４  第２凸部
２５  第３凸部
２６  第４凸部
３２  第１台部
３３  第１連結孔
３４  第２連結孔
３５  第３連結孔
３６  第４連結孔
３７  第２台部
４５  貫通孔
【図１】
2017165021.tif 000003
【図２】
2017165021.tif 000004
【図３】
2017165021.tif 000005
【図４】
2017165021.tif 000006
【図５】
2017165021.tif 000007
【図６】
2017165021.tif 000008
【図７】
2017165021.tif 000009